(57)【要約】【課題】水素ステーションが、それぞれ水素の製造方法が異なる複数の供給源から水素の供給を受けて、水素ガスを貯蔵している場合に、ユーザは、水素の製造方法の選択に関与できない。【解決手段】この水素ガス供給システムは、水素を収容する収容部と、前記収容部が外部から受け入れた水素の製造時の環境負荷を表す負荷情報と、前記収容部が外部から受け入れた前記水素の品質を表す品質情報と、の少なくとも一方を受信する通信部と、前記収容部からユーザに供給される水素の前記負荷情報と前記品質情報との前記少なくとも一方に応じた出力を行うユーザインターフェイス部と、前記収容部が受け入れた水素の量と、前記通信部が受信した前記負荷情報と前記品質情報との前記少なくとも一方と、に基づいて、前記ユーザインターフェイス部を制御する制御部と、を備える。【選択図】図１
2020086503.tif 000002
【特許請求の範囲】
【請求項１】
ユーザに水素ガスを供給する水素ガス供給システムであって、
水素を収容する収容部と、
前記収容部が外部から受け入れた水素の製造時の環境負荷を表す負荷情報と、前記収容部が外部から受け入れた前記水素の品質を表す品質情報と、の少なくとも一方を受信する通信部と、
前記収容部からユーザに供給される水素の前記負荷情報と前記品質情報との前記少なくとも一方に応じた出力を行うユーザインターフェイス部と、
前記収容部が受け入れた水素の量と、前記通信部が受信した前記負荷情報と前記品質情報との前記少なくとも一方と、に基づいて、前記ユーザインターフェイス部を制御する制御部と、を備える、水素ガス供給システム。
【請求項２】
請求項１に記載の水素ガス供給システムであって、
前記負荷情報は、
化石燃料を水と反応させて得られた水素と、
自然エネルギーを利用して得られた電力で水を電気分解して得られた水素と、
を少なくとも区別して表す情報を含む、水素ガス供給システム。
【請求項３】
請求項１または２に記載の水素ガス供給システムであって、
前記制御部は、
水素の前記負荷情報を、水素の量の情報と対応づけて格納することができる記憶部を備え、
前記収容部からユーザへの水素の供給に先立って、ユーザから、前記ユーザインターフェイス部を介して、ユーザに供給されるべき水素の前記環境負荷の指定を受けることができ、
水素の量の情報と対応づけられて前記記憶部に格納されている前記負荷情報を、前記指定された前記環境負荷と、前記収容部からユーザに供給された水素の量と、に基づいて更新することができる、水素ガス供給システム。
【請求項４】
請求項３に記載の水素ガス供給システムであって、
前記制御部は、
水素の量の情報と対応づけられて前記記憶部に格納されている前記負荷情報の少なくとも一部を含む情報を、水素の量の情報と対応づけて、前記通信部を介して、他の水素ガス供給システムに送信することができ、
水素の量の情報と対応づけられて前記記憶部に格納されている前記負荷情報を、前記他の水素ガス供給システムに送信された前記負荷情報の少なくとも一部を含む情報および水素の量の情報に基づいて、更新することができる、水素ガス供給システム。
【請求項５】
請求項４に記載の水素ガス供給システムであって、
前記制御部は、さらに、
前記負荷情報の少なくとも一部を含む情報を、水素の量の情報と対応づけて、前記通信部を介して、他の水素ガス供給システムから受信することができ、
前記記憶部に格納している前記負荷情報を、前記他の水素ガス供給システムから受信した前記負荷情報の少なくとも一部を含む情報および水素の量の情報に基づいて、更新することができる、水素ガス供給システム。
【請求項６】
請求項３から５のいずれか１項に記載の水素ガス供給システムであって、
前記制御部は、さらに、
前記供給されるべき水素の前記環境負荷として、第１の環境負荷を指定して、水素の供給を受けるユーザに対しては、商品またはサービスの少なくとも一部と交換することができるポイントを発行せず、
前記供給されるべき水素の前記環境負荷として、前記第１の環境負荷よりも低い第２の環境負荷を指定して、水素の供給を受けるユーザに対しては、前記通信部を介して前記ポイントを発行する、水素ガス供給システム。
【請求項７】
請求項６記載の水素ガス供給システムによって発行されるポイントを管理するポイント管理システムであって、
前記ポイントの情報を、前記ポイントを発行されたユーザと対応づけて格納するポイント記憶部と、
前記水素ガス供給システムから、ユーザに対して発行されたポイントの情報を受信するポイント通信部と、
前記発行されたポイントの情報に基づいて、前記ユーザと対応づけられて前記ポイント記憶部に格納されているポイントの情報が表すポイントに、前記発行されたポイントを加算するポイント管理部と、を備え、
前記ポイント管理部は、前記ユーザと対応づけられて前記ポイント記憶部に格納されているポイントの情報を、外部からの要求に応じて、前記ポイント通信部を介して出力する、ポイント管理システム。
【請求項８】
請求項７記載のポイント管理システムであって、
前記ポイント管理部は、さらに、
ユーザと対応づけられた使用されたポイントの情報を、前記ポイント通信部を介して、外部から受信することができ、
前記ユーザと対応づけられて前記ポイント記憶部に格納されている前記ポイントの情報が表すポイントから、前記使用されたポイントを減算する、ポイント管理システム。
【請求項９】
請求項７または８に記載のポイント管理システムであって、
前記ポイント管理部は、さらに、
あらかじめ定められた期間にユーザに対して発行されたポイントを計算して、前記ユーザと対応づけて前記ポイント記憶部に格納し、
前記ユーザと対応づけられて前記ポイント記憶部に格納されている前記期間に前記ユーザに対して発行されたポイントの情報を、外部からの要求に応じて、前記ポイント通信部を介して出力する、ポイント管理システム。
【請求項１０】
サービスと商品の少なくとも一方の提供を管理するサービス管理システムであって、
ユーザへのサービスと商品の少なくとも一方の提供に応じて、前記ユーザに対応づけられたポイントから減算すべきポイントを計算するサービス管理部と、
前記減算すべきポイントを表す前記使用されたポイントの情報を、前記ユーザと対応づけて、請求項８または９に記載のポイント管理システムに送信するサービス通信部と、を備える、サービス管理システム。
【請求項１１】
サービスと商品の少なくとも一方の提供を管理するサービス管理システムであって、
請求項９に記載のポイント管理システムから前記期間にユーザに対して発行されたポイントの情報を受信することができるサービス通信部と、
前記期間にユーザに対して発行されたポイントが閾値よりも低いユーザに対して、あらかじめ定められたサービスと商品の少なくとも一方を提供せず、前記期間にユーザに対して発行されたポイントが閾値よりも高いユーザに対して、前記サービスと商品の少なくとも一方を提供する、サービス管理部と、を備える、サービス管理システム。
【発明の詳細な説明】
【技術分野】
【０００１】
本開示は、水素ガス供給システム、ポイント管理システム、およびサービス管理システムに関する。
【背景技術】
【０００２】
従来、ユーザに対して水素ガスを供給する水素ステーションが存在する。たとえば、特許文献１の技術においては、車両に搭載された燃料タンクにオペレータが充填ノズルを装着し、入力部に充填開始指令を入力する。すると、水素ステーションの蓄圧器内の高圧の水素ガスが、蓄圧器と燃料タンクとの差圧によって、水素ガス供給管、充填ホース及び充填ノズルを介して燃料タンクに充填される。水素ガス供給管に設けられたガス流量計の出力が所定値以下となると、燃料タンクへの水素ガスの充填が終了する。
【０００３】
水素ステーションに貯蔵されている水素ガスは、さまざまな方法で製造された水素ガスを含む。水素を製造する方法としては、たとえば、以下のようなものがある。（１）化石燃料と水蒸気を反応させて水素を得る第１の方法。（２）バイオマスから得られる炭化水素と水蒸気を反応させて水素を得る第２の方法。（３）製鉄所や化学工場の副産物としての水素を得る第３の方法。（４）太陽光や風力を利用して発電を行い、得られた電力で水を電気分解して水素を得る第４の方法。
【０００４】
第１の方法によれば、大量かつ安定的に水素を製造することができる。また、第１の方法によれば、安価に水素を製造することができる。しかし、水素の製造工程において、二酸化炭素や窒素酸化物が発生する。第２の方法および第３の方法によって得られる水素の量は、バイオマスや製鉄所や化学工場の主産物の生成量に左右される。また、第２の方法および第３の方法においても、二酸化炭素が発生する。第４の方法は、二酸化炭素を発生させない。しかし、第４の方法は、天候などの自然現象に左右されるため、安定的に水素を供給することができない。また、第４の方法は、第１から第３の方法に比べて、現状では、水素の生産コストが高い。
【先行技術文献】
【特許文献】
【０００５】
【特許文献１】特開２０１６−２２３５８９号公報
【発明の概要】
【発明が解決しようとする課題】
【０００６】
特許文献１に記載された技術においては、水素ステーションが貯蔵する水素ガスの製造方法の情報は、車両のユーザに告知されない。このため、水素の供給を受けるユーザは、高コストであっても環境負荷の低い水素の購入を希望する場合にも、そのような水素を選択して購入することができない。たとえば、ユーザは、製造時の環境負荷の低い水素を提供する水素ステーションと、製造時の環境負荷の高い水素を提供する水素ステーションとを、選択できない。また、一つの水素ステーションが、それぞれ水素の製造方法が異なる複数の供給源から水素の供給を受けて、水素ガスを貯蔵している場合には、ユーザは、水素の製造方法の選択にまったく関与することができない。
【課題を解決するための手段】
【０００７】
本開示は、以下の形態として実現することが可能である。
【０００８】
（１）本開示の一形態によれば、ユーザに水素ガスを供給する水素ガス供給システムが提供される。この水素ガス供給システムは、水素を収容する収容部と、前記収容部が外部から受け入れた水素の製造時の環境負荷を表す負荷情報と、前記収容部が外部から受け入れた前記水素の品質を表す品質情報と、の少なくとも一方を受信する通信部と、前記収容部からユーザに供給される水素の前記負荷情報と前記品質情報との前記少なくとも一方に応じた出力を行うユーザインターフェイス部と、前記収容部が受け入れた水素の量と、前記通信部が受信した前記負荷情報と前記品質情報との前記少なくとも一方と、に基づいて、前記ユーザインターフェイス部を制御する制御部と、を備える。
このような態様とすれば、ユーザは、ユーザインターフェイス部から出力される製造時の環境負荷と品質との少なくとも一方に基づく情報を利用して、収容部に収容された水素の供給を受けるか否かを判断することができる。
（２）上記形態の水素ガス供給システムにおいて、前記負荷情報は、化石燃料を水と反応させて得られた水素と、自然エネルギーを利用して得られた電力で水を電気分解して得られた水素と、を少なくとも区別して表す情報を含む、態様とすることができる。
このような態様とすれば、化石燃料を水と反応させて得られた水素ではなく、自然エネルギーを利用して得られた電力で水を電気分解して得られた水素を供給されることを希望するユーザの希望に応えることができる。
（３）上記形態の水素ガス供給システムにおいて、前記制御部は、水素の前記負荷情報を、水素の量の情報と対応づけて格納することができる記憶部を備え、前記収容部からユーザへの水素の供給に先立って、ユーザから、前記ユーザインターフェイス部を介して、ユーザに供給されるべき水素の前記環境負荷の指定を受けることができ、水素の量の情報と対応づけられて前記記憶部に格納されている前記負荷情報を、前記指定された前記環境負荷と、前記収容部からユーザに供給された水素の量と、に基づいて更新することができる、態様とすることができる。
このような態様とすれば、ユーザは、水素の供給を受けるのに先立って、たとえば、供給されるべき水素につき、製造時の環境負荷が低い水素を指定することにより、水素ガス供給システムの運用者に対して、環境負荷の低い水素の利用を促すことができる。
（４）上記形態の水素ガス供給システムにおいて、前記制御部は、水素の量の情報と対応づけられて前記記憶部に格納されている前記負荷情報の少なくとも一部を含む情報を、水素の量の情報と対応づけて、前記通信部を介して、他の水素ガス供給システムに送信することができ、水素の量の情報と対応づけられて前記記憶部に格納されている前記負荷情報を、前記他の水素ガス供給システムに送信された前記負荷情報の少なくとも一部を含む情報および水素の量の情報に基づいて、更新することができる、態様とすることができる。
このような態様とすれば、実際に収容部が受け入れた水素についての負荷情報と切り離して、水素の負荷情報を、他の水素ガス供給システムに、移動させることができる。このため、実際に水素を移動させることなく、複数の水素ガス供給システム全体として、環境負荷の低い水素の供給を促進することができる。
（５）上記形態の水素ガス供給システムにおいて、前記制御部は、さらに、前記負荷情報の少なくとも一部を含む情報を、水素の量の情報と対応づけて、前記通信部を介して、他の水素ガス供給システムから受信することができ、前記記憶部に格納している前記負荷情報を、前記他の水素ガス供給システムから受信した前記負荷情報の少なくとも一部を含む情報および水素の量の情報に基づいて、更新することができる、態様とすることができる。
このような態様とすれば、実際に収容部が受け入れた水素の負荷情報と切り離して、水素の負荷情報を、複数の水素ガス供給システムの間で、移動させることができる。このため、実際に水素を移動させることなく、複数の水素ガス供給システム全体として、環境負荷の低い水素の供給を促進することができる。
（６）上記形態の水素ガス供給システムにおいて、前記制御部は、さらに、前記供給されるべき水素の前記環境負荷として、第１の環境負荷を指定して、水素の供給を受けるユーザに対しては、商品またはサービスの少なくとも一部と交換することができるポイントを発行せず、前記供給されるべき水素の前記環境負荷として、前記第１の環境負荷よりも低い第２の環境負荷を指定して、水素の供給を受けるユーザに対しては、前記通信部を介して前記ポイントを発行する、態様とすることができる。
このような態様とすれば、ユーザは、供給を受ける水素の環境負荷として、低い環境負荷を指定することにより、利益を享受することができる。このため、ユーザに、環境負荷が低い水素の利用を促すことができる。
（７）本開示の他の形態によれば、上記形態の水素ガス供給システムによって発行されるポイントを管理するポイント管理システムが提供される。このポイント管理システムは、前記ポイントの情報を、前記ポイントを発行されたユーザと対応づけて格納するポイント記憶部と、前記水素ガス供給システムから、ユーザに対して発行されたポイントの情報を受信するポイント通信部と、前記発行されたポイントの情報に基づいて、前記ユーザと対応づけられて前記ポイント記憶部に格納されているポイントの情報が表すポイントに、前記発行されたポイントを加算するポイント管理部と、を備える。前記ポイント管理部は、前記ユーザと対応づけられて前記ポイント記憶部に格納されているポイントの情報を、外部からの要求に応じて、前記ポイント通信部を介して出力する。
このような態様とすれば、ユーザは、環境負荷が低い水素を指定して、水素の供給を受けることにより、利益を享受することができる。このため、ユーザに、環境負荷が低い水素の利用を、促すことができる。
（８）上記形態のポイント管理システムであって、前記ポイント管理部は、さらに、ユーザと対応づけられた使用されたポイントの情報を、前記ポイント通信部を介して、外部から受信することができ、前記ユーザと対応づけられて前記ポイント記憶部に格納されている前記ポイントの情報が表すポイントから、前記使用されたポイントを減算する、態様とすることができる。
このような態様とすれば、ユーザは、供給を受けた環境負荷が低い水素の量に応じて、利益を享受することができる。このため、ユーザに、環境負荷が低い水素の利用を、促すことができる。
（９）上記形態のポイント管理システムであって、前記ポイント管理部は、さらに、あらかじめ定められた期間にユーザに対して発行されたポイントを計算して、前記ユーザと対応づけて前記ポイント記憶部に格納し、前記ユーザと対応づけられて前記ポイント記憶部に格納されている前記期間に前記ユーザに対して発行されたポイントの情報を、外部からの要求に応じて、前記ポイント通信部を介して出力する、態様とすることができる。
このような態様とすれば、あらかじめ定められた期間にユーザに対して発行されたポイントに応じて、ユーザにサービスや商品を提供することができる。
（１０）本開示の他の形態によれば、サービスと商品の少なくとも一方の提供を管理するサービス管理システムが提供される。このサービス管理システムは、ユーザへのサービスと商品の少なくとも一方の提供に応じて、前記ユーザに対応づけられたポイントから減算すべきポイントを計算するサービス管理部と、前記減算すべきポイントを表す前記使用されたポイントの情報を、前記ユーザと対応づけて、上記態様のポイント管理システムに送信するサービス通信部と、を備える。
このような態様とすれば、ユーザは、供給を受けた環境負荷が低い水素の量に応じて、サービスまたは商品を得ることができる。このため、ユーザに、環境負荷が低い水素の利用を、促すことができる。
（１１）本開示の他の形態によれば、サービスと商品の少なくとも一方の提供を管理するサービス管理システムが提供される。このサービス管理システムは、上記形態のポイント管理システムから前記期間にユーザに対して発行されたポイントの情報を受信することができるサービス通信部と、前記期間にユーザに対して発行されたポイントが閾値よりも低いユーザに対して、あらかじめ定められたサービスと商品の少なくとも一方を提供せず、前記期間にユーザに対して発行されたポイントが閾値よりも高いユーザに対して、前記サービスと商品の少なくとも一方を提供する、サービス管理部と、を備える。
このような態様とすれば、ユーザは、環境負荷が低い水素の供給を定常的に受けることにより、利益を享受することができる。このため、ユーザに、環境負荷が低い水素の利用を、さらに促すことができる。
本開示は、上記以外の種々の形態で実現することも可能である。例えば、水素ガス供給方法、ポイント管理方法、およびサービス管理方法、水素ガス供給システム、ポイント管理システム、またはサービス管理システムの制御方法、その制御方法を実現するコンピュータプログラム、そのコンピュータプログラムを記録した一時的でない記録媒体等の形態で実現することができる。
【図面の簡単な説明】
【０００９】
【図１】本実施形態の水素管理システム１を示す説明図である。
【図２】水素ガス供給施設２００Ａの表示パネル２７０の表示を示す図である。
【図３】水素ガス供給施設２００Ａの表示パネル２７０の表示を示す図である。
【図４】水素自動車４００の正面図である。
【図５】ある施設に隣接して設けられた有料駐車場Ｐ０を示す平面図である。
【発明を実施するための形態】
【００１０】
Ａ．実施形態：
Ａ１．水素供給システムの構成：
図１は、本実施形態の水素管理システム１を示す説明図である。この水素管理システム１は、ポイント管理サーバ１００と、水素ガス供給施設２００Ａ，２００Ｂと、サービス管理装置３００と、水素生成施設５００Ａ，５００Ｂと、水素ガス配送車両６００Ａ，６００Ｂと、を含む。
【００１１】
水素ガス供給施設２００Ａは、ユーザに水素ガスを供給する店舗である。水素ガス供給施設２００Ａは、本実施形態においては、水素自動車４００に水素ガスを供給する、いわゆる水素ステーションである。水素ガス供給施設２００Ａは、水素ガス収容部２０４、水素ガス供給装置２０９、制御装置２５０、通信インターフェイス２６２，２６４，２６６、および表示パネル２７０を備える。
【００１２】
水素ガス収容部２０４は、気体の水素を収容するタンクである。水素ガス収容部２０４は、最大で約８２ＭＰａの圧力で、３００リットルの水素ガスを保持することができる。
【００１３】
水素ガス供給装置２０９は、水素ガス収容部２０４内の水素ガスを、水素ガス供給施設２００の外部に供給することができる。水素ガス供給装置２０９が水素ガスを供給する対象は、具体的には、水素自動車４００である。
【００１４】
制御装置２５０は、水素ガス供給施設２００Ａの各部を制御する。制御装置２５０は、プロセッサーであるＣＰＵ（Central Processing Unit）２５１、ＲＡＭ（Random Access Memory）２５２、およびＲＯＭ（Read-Only Memory）２５３を備える。制御装置２５０には、水素ガス供給施設２００Ａの各部を制御するための制御プログラムがインストールされている。制御装置２５０においては、ハードウェア資源としてのＣＰＵ２５１、ＲＡＭ２５２、およびＲＯＭ２５３と、制御プログラムとが協働する。具体的には、ＣＰＵ２５１が、ＲＯＭ２５３に記憶されたコンピュータプログラムをＲＡＭ２５２にロードして実行することによって、様々な機能を実現する。ＣＰＵ２５１が取得または生成した情報は、ＲＡＭ２５２に格納される。
【００１５】
ＣＰＵ２５１は、たとえば、水素ガス収容部２０４が受け入れた水素の量と、通信インターフェイス２６２が受信した負荷情報Ｉｉと品質情報Ｉｑとに基づいて、表示パネル２７０を制御する。負荷情報Ｉｉと品質情報Ｉｑについては、後に説明する。また、ＣＰＵ２５１は、水素ガス供給施設２００Ａの外部との間で各種の情報を交換し、取得した情報または取得した情報から生成した情報を、ＲＡＭ２５２に格納する。制御装置２５０が水素ガス供給施設２００Ａの外部との間で各種の情報を交換するための通信インターフェイスを、図１において、２６２，２６４，２６６として示す。これらを介して交換される情報については、後に説明する。
【００１６】
表示パネル２７０は、タッチパネルを備えたディスプレイ、およびスピーカを備える。表示パネル２７０は、制御装置２５０が保持する情報を、水素ガス供給施設２００Ａのユーザに対して出力する。また、表示パネル２７０は、外部から入力された情報を制御装置２５０に渡す。
【００１７】
表示パネル２７０は、たとえば、制御装置２５０に制御されて、水素ガス収容部２０４からユーザに供給される水素の負荷情報Ｉｉと品質情報Ｉｑとを出力する。このような処理を行うことにより、ユーザは、表示パネル２７０から出力される製造時の環境負荷と品質の情報に基づく情報を利用して、水素ガス収容部２０４に収容された水素の供給を受けるか否かを判断することができる。
【００１８】
水素生成施設５００Ａは、化石燃料を水と反応させて、水素を生成する。より具体的には、水素生成施設５００Ａは、メタンと水蒸気を反応させて水素と一酸化炭素を生成し、さらに、一酸化炭素と水蒸気を反応させて、水素と二酸化炭素を生成する。生成された水素は、圧縮され、液化される。水素生成施設５００Ａは、液体水素収容部５０４Ａを有する。液体水素収容部５０４Ａは、水素生成施設５００Ａにおいて生成され、液化された水素を蓄えるタンクである。
【００１９】
水素ガス配送車両６００Ａは、水素生成施設５００Ａの液体水素収容部５０４Ａから液体水素を受け取って、水素ガス供給施設２００に配送する。水素ガス配送車両６００Ａは、制御部６５０を備える。
【００２０】
制御部６５０は、プロセッサーであるＣＰＵ６５１、ＲＡＭ６５２、およびＲＯＭ６５３を備える。ＣＰＵ６５１は、水素ガス配送車両６００Ａの各部を制御する。ＣＰＵ６５１は、水素ガス配送車両６００Ａの外部との間で各種の情報を交換し、取得した情報または取得した情報から生成した情報を、ＲＡＭ６５２に格納する。
【００２１】
水素生成施設５００Ｂは、自然エネルギーを利用して得られた電力で水を電気分解して、水素を生成する。水素生成施設５００Ｂは、単結晶系シリコン太陽電池を備える。水素生成施設５００Ｂは、単結晶系シリコン太陽電池に太陽光の照射を受けて、電力を発生させる。水素生成施設５００Ｂは、生成された電力で水を電気分解して、水素を生成する。生成された水素は、圧縮され、液化される。水素生成施設５００Ｂは、液体水素収容部５０４Ｂを有する。液体水素収容部５０４Ｂは、水素生成施設５００Ｂにおいて生成され、液化された水素を蓄えるタンクである。
【００２２】
水素生成施設５００Ｂにおいて水素を生成するためのコストは、水素生成施設５００Ａおいて同じ量の水素を生成するためのコストよりも、高い。一方、水素生成施設５００Ｂにおいて水素を生成する際の環境負荷は、水素生成施設５００Ａおいて同じ量の水素を生成する際の環境負荷よりも、低い。なお、環境負荷は、水素を単位量生産する際に生成される二酸化炭素量および消費される電力量で評価することができる。
【００２３】
水素ガス配送車両６００Ｂは、水素生成施設５００Ｂの液体水素収容部５０４Ｂから液体水素を受け取って、水素ガス供給施設２００に配送する。水素ガス配送車両６００Ｂの構成および機能は、水素ガス配送車両６００Ａの構成および機能と同じである。
【００２４】
水素ガス供給施設２００Ｂは、ユーザに水素を供給する店舗である。水素ガス供給施設２００Ｂの構成および機能は、水素ガス供給施設２００Ａの構成および機能と同じである。ただし、水素ガス供給施設２００Ｂから、自然エネルギーを利用して水素を生成する最も近い水素生成施設までの距離は、水素ガス供給施設２００Ａから、自然エネルギーを利用して水素を生成する水素生成施設５００Ｂまでの距離の３倍以上である。本明細書において、水素ガス供給施設２００Ａ，２００Ｂを区別せずに記述する場合には、水素ガス供給施設２００と記載する。
【００２５】
サービス管理装置３００は、ユーザに対して提供されるサービスの内容を管理する装置である。サービス管理装置３００は、本実施形態においては、有料駐車場に設置されており、有料駐車場のサービスを管理する。より具体的には、サービス管理装置３００は、有料駐車場の各駐車スペースに設けられているロック板３１０を制御し、各駐車スペースの利用料金を計算する。サービス管理装置３００は、制御部３５０、通信インターフェイス３６２，３６４、および表示パネル３７０を備える。
【００２６】
制御部３５０は、サービス管理装置３００を含む有料駐車場の各設備を制御する。制御部３５０は、プロセッサーであるＣＰＵ３５１、ＲＡＭ３５２、およびＲＯＭ３５３を備える。制御部３５０には、サービス管理装置３００を含む有料駐車場の各設備を制御するための制御プログラムがインストールされている。制御部３５０においては、ハードウェア資源としてのＣＰＵ３５１、ＲＡＭ３５２、およびＲＯＭ３５３と、制御プログラムとが協働する。具体的には、ＣＰＵ３５１が、ＲＯＭ３５３に記憶されたコンピュータプログラムをＲＡＭ３５２にロードして実行することによって、様々な機能を実現する。様々な機能を実現する。ＣＰＵ３５１が取得または生成した情報は、ＲＡＭ３５２に格納される。
【００２７】
ＣＰＵ３５１は、たとえば、サービス管理装置３００の外部との間で各種の情報を交換し、取得した情報または取得した情報から生成した情報を、ＲＡＭ３５２に格納する。制御部３５０がサービス管理装置３００の外部との間で各種の情報を交換するための通信インターフェイスを３６２，３６４として示す。
【００２８】
表示パネル３７０は、タッチパネルを備えたディスプレイ、およびスピーカを備える。表示パネル３７０は、制御部３５０が保持する情報を、サービスを利用するユーザに対して出力する。表示パネル３７０は、外部から入力された情報を制御部３５０に渡す。
【００２９】
ロック板３１０は、有料駐車場の各駐車スペースに設けられており、車両を配置する面に対して姿勢を変えることができる板である。ロック板３１０は、サービス管理装置３００に制御されて、ロック状態と、非ロック状態と、を取りうる。ロック状態は、ロック板３１０が、車両を配置する面に対して所定の角度を有した状態である。非ロック状態は、ロック板３１０が、車両を配置する面に接し、かつ、車両を配置する面に対して略平行な状態である。
【００３０】
ロック板３１０がロック状態にあるときには、駐車スペースに駐車されている自動車は、駐車スペースを出ることができない。一方、ロック板３１０が非ロック状態にあるときには、駐車スペースに駐車されている自動車は、駐車スペースを出ることができる。また、ロック板３１０が非ロック状態にあるときであって、その駐車スペースに他の自動車が駐車されていないときには、自動車は、その駐車スペースに駐車することができる。ロック板３１０がロック状態にあるときは、その駐車スペースに他の自動車が駐車されていなくても、自動車は、その駐車スペースに駐車することができない。図１においては、ロック状態にあるロック板３１０が示されている。
【００３１】
水素自動車４００は、水素を使用して走行する車両である。水素自動車４００は、水素ガス収容部４０４、燃料電池装置４０６、制御部４５０、通信インターフェイス４６２，４６４、および表示パネル４７０を備える。
【００３２】
水素ガス収容部４０４は、水素ガスを蓄えるタンクである。水素ガス収容部４０４は、最大で約７０ＭＰａの圧力で、約１３０リットルの水素ガスを保持することができる。燃料電池装置４０６は、水素ガス収容部４０４から気体の水素を供給されて、水素を使用して電力を発生させる。水素自動車４００は、燃料電池装置４０６が発生させた電力を使用して、図示しない電気モータにより走行する。
【００３３】
制御部４５０は、水素自動車４００の各設備を制御する。制御部４５０は、プロセッサーであるＣＰＵ４５１、ＲＡＭ４５２、およびＲＯＭ４５３を備える。ＣＰＵ４５１は、水素自動車４００の外部との間で各種の情報を交換し、取得した情報または取得した情報から生成した情報を、ＲＡＭ４５２に格納する。制御部４５０が水素自動車４００の外部との間で各種の情報を交換するための通信インターフェイスを４６２，４６４として示す。
【００３４】
表示パネル４７０は、タッチパネルを備えたディスプレイ、マイクおよびスピーカを備える。表示パネル４７０は、制御部４５０が保持する情報を、水素自動車４００のユーザに対して出力する。また、表示パネル４７０は、外部から入力された情報を制御部４５０に渡す。
【００３５】
ポイント管理サーバ１００は、水素ガス供給施設２００Ａ，２００Ｂによって発行されるポイントを管理する。具体的には、ポイント管理サーバ１００は、水素ガス供給施設２００Ａ，２００Ｂから発行されたポイントを表す変更ポイント情報ΔＩｐを受信して、個別のユーザに対応づけて、ポイントを表すポイント情報Ｉｐを記憶し、管理する。ポイント管理サーバ１００は、制御部１５０を備える。
【００３６】
制御部１５０は、プロセッサーであるＣＰＵ１５１、ＲＡＭ１５２、およびＲＯＭ１５３を備える。制御部１５０には、ポイント情報Ｉｐを処理するための制御プログラムがインストールされている。制御部１５０においては、ハードウェア資源としてのＣＰＵ１５１、ＲＡＭ１５２、およびＲＯＭ１５３と、制御プログラムとが協働する。具体的には、ＣＰＵ１５１が、ＲＯＭ１５３に記憶されたコンピュータプログラムをＲＡＭ１５２にロードして実行することによって、様々な機能を実現する。ＣＰＵ１５１が取得または生成した情報は、ＲＡＭ１５２に格納される。制御部１５０がポイント管理サーバ１００の外部との間で各種の情報を交換するための通信インターフェイスを１６２，１６４として示す。
【００３７】
Ａ２．水素管理システムにおける情報の交換：
（１）水素ガス供給施設における水素の受け入れ：
水素生成施設５００Ａで生成された水素は、水素ガス配送車両６００Ａによって水素ガス供給施設２００Ａに配送され、水素ガス収容部２０４内に収容される。水素ガス配送車両６００Ａは、ＲＡＭ６５２内に、水素生成施設５００Ａで生成された水素の製造時の環境負荷を表す負荷情報Ｉｉと、水素生成施設５００Ａで生成された水素の品質を表す品質情報Ｉｑとを保持している。
【００３８】
水素生成施設５００Ａで生成された水素の負荷情報Ｉｉを負荷情報ＩｉＡと表記する。水素生成施設５００Ａで生成された水素の品質情報Ｉｑを品質情報ＩｑＡと表記する。一方、水素生成施設５００Ｂで生成された水素の負荷情報Ｉｉを負荷情報ＩｉＢと表記する。水素生成施設５００Ｂで生成された水素の品質情報Ｉｑを品質情報ＩｑＢと表記する。
【００３９】
負荷情報Ｉｉは、１ｍｏｌの水素を生成するために消費される化石燃料の量や、１ｍｏｌの水素を生成するために生成される二酸化炭素の量に基づいて定められる。品質情報Ｉｑは、その水素が、（ｉ）ISO14687 1999年 Type I, Grade Aを満たしているか否か、（ｉｉ）ISO14687-2 2008年Type I, Grade Dを満たしているか否か、（ｉｉｉ）ISO14687-2 2012年Type I, Grade Dを満たしているか否か、の情報を含む。
【００４０】
制御装置２５０は、水素ガス配送車両６００Ａから水素ガス収容部２０４に水素を受け入れる際に、水素ガス配送車両６００ＡのＲＡＭ６５２内の負荷情報ＩｉＡと、品質情報ＩｑＡと、を受信する。具体的には、通信インターフェイス２６２が、水素ガス収容部２０４が外部から受け入れた水素の負荷情報Ｉｉと、水素ガス収容部２０４が外部から受け入れた水素の品質情報Ｉｑと、受信する。制御装置２５０は、水素ガス配送車両６００Ａから水素ガス収容部２０４に水素を受け入れるたびに、受け入れた水素の量と対応づけて、負荷情報ＩｉＡと、品質情報ＩｑＡと、をＲＡＭ２５２内に保存する。
【００４１】
水素ガス収容部２０４に受け入れた水素の量は、たとえば、水素ガス配送車両６００Ａから水素ガス収容部２０４への水素の受け入れ前後の水素ガス収容部２０４内の圧力および温度に基づいて、計算することができる。なお、水素ガス収容部２０４内に収容できるガスの容積は一定であるものとする。水素ガス収容部２０４から外部に提供した水素の量も、同じ方法で計算することができる。
【００４２】
水素生成施設５００Ｂで生成された水素は、水素ガス配送車両６００Ｂによって水素ガス供給施設２００Ａに配送され、水素ガス収容部２０４内に収容される。水素ガス配送車両６００Ｂは、ＲＡＭ６５２内に、水素生成施設５００Ｂで生成された水素の製造時の環境負荷を表す負荷情報ＩｉＢと、水素生成施設５００Ｂで生成された水素の品質を表す品質情報ＩｑＢとを保持している。
【００４３】
太陽光発電を使用して水素生成施設５００Ｂで生成された水素の負荷情報ＩｉＢは、化石燃料を使用して水素生成施設５００Ａで生成された負荷情報ＩｉＡに比べて、環境負荷が小さいことを表している。本実施形態において、水素生成施設５００Ｂで生成された水素の品質情報ＩｑＢは、水素生成施設５００Ａで生成された水素の品質情報ＩｑＡに比べて、品質が高いことを表しているものとする。
【００４４】
制御装置２５０は、水素ガス配送車両６００Ｂから水素ガス収容部２０４に水素を受け入れる際に、通信インターフェイス２６２を介して、負荷情報ＩｉＢと、品質情報ＩｑＢと、を受信する。制御装置２５０は、水素ガス配送車両６００Ｂから水素ガス収容部２０４に水素を受け入れるたびに、受け入れた水素の量と対応づけて、負荷情報ＩｉＢと、品質情報ＩｑＢと、をＲＡＭ２５２内に保存する。
【００４５】
制御装置２５０は、外部から水素を受け入れるたびに以下の処理を行う。制御装置２５０は、現時点で水素ガス収容部２０４内に収容している水素の量と、その中に占める負荷情報ＩｉＡに対応づけられた水素の量の割合と、負荷情報ＩｉＢに対応づけられた水素の量の割合と、を計算し、負荷情報Ｉｉの一部として、ＲＡＭ２５２に格納する。言い替えれば、ＲＡＭ２５２には、負荷情報Ｉｉの一部として、水素の負荷情報ＩｉＡ，ＩｉＢが、それぞれ水素の量の情報ＩｖＡ，ＩｖＢと対応づけて格納される。その結果、ＲＡＭ２５２内の負荷情報Ｉｉは、化石燃料を水と反応させて得られた水素と、自然エネルギーを利用して得られた電力で水を電気分解して得られた水素と、が区別して表される情報を含む。この情報に基づいて、後述する図２のグラフの構成部分Ｇ１１，Ｇ１２が生成される。なお、環境負荷が異なる水素ごとの水素の量の情報を、区別せずに表記する場合は、「水素の量の情報Ｉｖ」と表記する。
【００４６】
上記の負荷情報Ｉｉを生成し保持することにより、水素ガス供給施設２００Ａは、水素の供給において、化石燃料を水と反応させて得られた水素ではなく、自然エネルギーを利用して得られた電力で水を電気分解して得られた水素を供給されることを希望するユーザの希望に、応えることができる。
【００４７】
また、制御装置２５０は、現時点で水素ガス収容部２０４内に収容している水素の量と、その中に占める品質情報ＩｑＡに対応づけられた水素の量の割合と、品質情報ＩｑＢに対応づけられた水素の量の割合と、を計算し、品質情報Ｉｑの一部として、ＲＡＭ２５２に格納する。言い替えれば、ＲＡＭ２５２には、品質情報Ｉｑの一部として、水素の品質情報ＩｑＡ，ＩｑＢが、それぞれ水素の量の情報ＩｖＡ，ＩｖＢと対応づけて格納される。その結果、品質情報Ｉｑは、品質ごと区別して表される水素の情報を含む。
【００４８】
なお、図１の例では、水素ガス供給施設２００Ａが水素の供給を受ける水素生成施設は、水素生成施設５００Ａ，５００Ｂである。しかし、水素ガス供給施設２００Ａは、図示しないさらに他の水素ガス供給施設からも、水素の供給を受けることができる。
【００４９】
（２）水素ガス供給施設から水素自動車への水素の供給：
水素ガス供給施設２００Ａは、水素自動車４００に水素ガスを供給する。水素ガス供給施設２００Ａの制御装置２５０は、水素ガス供給施設２００Ａの表示パネル２７０に所定の表示を行い、水素自動車４００のユーザに水素ガスの選択を促す。
【００５０】
図２は、水素ガス供給施設２００Ａの表示パネル２７０の表示を示す図である。図２の表示は、水素自動車４００のユーザが、表示パネル２７０を介して、料金を支払うための本人の識別情報を入力すると、表示パネル２７０に表示される。表示パネル２７０には、選択肢を表すボタンＢ１０、Ｂ２０，Ｂ３０と、各選択肢の環境負荷を表す棒グラフＧ１０，Ｇ２０，Ｇ３０と、画面を「品質表示」に切り替えるためのボタンＢ５０と、が表示される。
【００５１】
ボタンＢ１０、Ｂ２０，Ｂ３０は、水素自動車４００への水素を選択するためのボタンである。水素ガス供給施設２００Ａの制御装置２５０は、水素ガス収容部２０４からユーザへの水素の供給に先立って、表示パネル２７０に表示されるボタンＢ１０、Ｂ２０，Ｂ３０を介して、ユーザから、ユーザに供給されるべき水素の環境負荷の指定を受ける。
【００５２】
ボタンＢ１０は、「ノーマル」の選択肢をユーザに提供する。「ノーマル」の選択肢は、水素ガス供給施設２００Ａの水素ガス収容部２０４内に収容されている水素がそのまま水素自動車４００に供給される、という選択肢である。ボタンＢ２０は、「エコロジー」の選択肢をユーザに提供する。「エコロジー」の選択肢は、水素ガス供給施設２００Ａの水素ガス収容部２０４内に収容されている水素のうち、環境負荷が低い水素生成施設５００Ｂで生成された水素が選択的に水素自動車４００に供給される、という選択肢である。ボタンＢ３０は、「エコノミー」の選択肢をユーザに提供する。「エコノミー」の選択肢は、水素ガス供給施設２００Ａの水素ガス収容部２０４内に収容されている水素のうち、製造コストが低く、そのために価格が安い、水素生成施設５００Ａで生成された水素が、選択的に水素自動車４００に供給される、という選択肢である。
【００５３】
グラフＧ１０は、「ノーマル」の選択肢が選択された場合にユーザに提供される水素の環境負荷の内訳を示すグラフである。「ノーマル」の選択肢が選択された場合にユーザに提供される水素の環境負荷の内訳は、水素ガス収容部２０４に収容された水素の環境負荷の内訳と等しい。グラフＧ１０は、部分Ｇ１１と、部分Ｇ１２を含む。
【００５４】
部分Ｇ１１は、オレンジ色の表示である。部分Ｇ１１は、水素ガス収容部２０４に収容された水素のうち、化石燃料を水と反応させて得られた水素の割合を表す。本実施形態においては、部分Ｇ１１が表すのは、水素生成施設５００Ａで生成された水素の割合である。
【００５５】
部分Ｇ１２は、青色の表示である。部分Ｇ１２は、水素ガス収容部２０４に収容された水素のうち、自然エネルギーを利用して得られた電力で水を電気分解して得られた水素の割合を示す。本実施形態においては、部分Ｇ１２が表すのは、水素生成施設５００Ｂで生成された水素の割合である。
【００５６】
グラフＧ２０は、「エコロジー」の選択肢が選択された場合にユーザに提供される水素の環境負荷の内訳を示すグラフである。グラフＧ２０は、青色で表示される。「エコロジー」の選択肢が選択された場合にユーザに提供される水素は、すべて自然エネルギーを利用して得られた電力で水を電気分解して得られた水素である。本実施形態において、「エコロジー」の選択肢が選択された場合にユーザに提供される水素は、水素生成施設５００Ｂで生成された水素である。
【００５７】
グラフＧ３０は、「エコノミー」の選択肢が選択された場合にユーザに提供される水素の環境負荷の内訳を示すグラフである。グラフＧ３０は、オレンジ色で表示される。「エコノミー」の選択肢が選択された場合にユーザに提供される水素は、すべて化石燃料を水と反応させて得られた水素である。本実施形態において、「エコノミー」の選択肢が選択された場合にユーザに提供される水素は、水素生成施設５００Ａで生成された水素である。
【００５８】
ボタンＢ１０、Ｂ２０，Ｂ３０は、水素自動車４００への水素の１ｋｇあたりの値段の表示を含む。水素生成施設５００Ｂで生成された水素の方が、水素生成施設５００Ａで生成された水素よりも製造コストが高い。このため、「エコロジー」の選択肢は、「ノーマル」の選択肢よりも単価が高く、「エコノミー」の選択肢は、「ノーマル」の選択肢よりも単価が低い。
【００５９】
水素自動車４００のユーザのうち、自分が消費する水素は環境負荷の低い方法で製造されるべきであり、そのためのコストは引き受ける、と考えるユーザは、「エコロジー」のＢ２０を選択する。水素自動車４００のユーザのうち、自分が消費する水素の対価を低く抑えたい、と考えるユーザは、「エコノミー」のＢ３０を選択する。他のユーザは、「ノーマル」のＢ１０を選択する。
【００６０】
このような処理を行うことにより、ユーザは、水素の供給を受けるのに先立って、たとえば、供給されるべき水素につき、製造時の環境負荷が低い水素を指定することにより、水素ガス供給施設２００Ａの運用者に対して、環境負荷の低い水素の利用を促すことができる。
【００６１】
なお、「エコロジー」または「エコノミー」の選択肢が選択された場合にも、実際には、水素ガス収容部２０４内に収容されている水素のうち特定の水素生成施設で製造された水素のみが水素自動車４００に供給され、他の水素が供給されない、というわけではない。すなわち、水素ガス供給施設２００Ａの水素ガス収容部２０４内に収容されている水素が選別されることなく、水素自動車４００に供給される。
【００６２】
しかし、水素ガス収容部２０４内に収容している水素の量に占める負荷情報ＩｉＡに対応づけられた水素の量の割合と、負荷情報ＩｉＢに対応づけられた水素の量の割合とは、選択された選択肢に応じて再計算される。すなわち、制御装置２５０は、それぞれ水素の量の情報と対応づけられてＲＡＭ２５２に格納されている負荷情報Ｉｉ内の異なる環境負荷の情報を、指定された環境負荷と、水素ガス収容部２０４からユーザに供給された水素の量Δｖ１と、に基づいて更新する。
【００６３】
「エコロジー」の選択肢が選択された場合には、水素ガス収容部２０４内に収容している水素のうちの負荷情報ＩｉＡに対応づけられた水素のうち、水素自動車４００に供給された量の水素がなくなったもの仮定として、負荷情報ＩｉＡに対応づけられた水素の量の割合と、負荷情報ＩｉＢに対応づけられた水素の量の割合とが再計算される。また、「エコノミー」の選択肢が選択された場合には、水素ガス収容部２０４内に収容している水素のうちの負荷情報ＩｉＢに対応づけられた水素のうち、水素自動車４００に供給された量の水素がなくなったもの仮定として、負荷情報ＩｉＡに対応づけられた水素の量の割合と、負荷情報ＩｉＢに対応づけられた水素の量の割合とが再計算される。「ノーマル」の選択肢が選択された場合には、水素ガス収容部２０４内に収容している水素の全体の量は減少するが、負荷情報ＩｉＡに対応づけられた水素の量の割合と、負荷情報ＩｉＢに対応づけられた水素の量の割合とは、変化しない。
【００６４】
ボタンＢ５０は、図２に示した、環境負荷を表す負荷情報Ｉｉに基づく選択肢の表示に代えて、品質を表す品質情報Ｉｑに基づく選択肢の表示を行わせるためのボタンである。
【００６５】
図２の画面で選択された選択肢、および水素自動車４００に供給された水素の量Δｖ１に応じて、水素ガス供給施設２００Ａの制御装置２５０からユーザに対して、商品またはサービスの少なくとも一部と交換することができるポイントが発行される。なお、後述する図３の画面において選択肢を選択したユーザに対しては、ポイントは付与されない。
【００６６】
図２の画面において、供給されるべき水素の前記環境負荷として、「エコノミー」や「ノーマル」よりも低い環境負荷を指定する「エコロジー」の選択肢を選んで、水素の供給を受けるユーザに対しては、制御装置２５０は、水素１ｋｇあたり１ポイントを発行する。供給されるべき水素の前記環境負荷として、「エコノミー」よりも低い環境負荷を指定する「ノーマル」の選択肢を選んで、水素の供給を受けるユーザに対しては、制御装置２５０は、制御装置２５０は、水素１ｋｇあたり０．５ポイントを発行する。
【００６７】
発行されたポイントは、具体的には、変更ポイント情報ΔＩｐとして、水素ガス供給施設２００Ａの通信インターフェイス２６４および水素自動車４００の通信インターフェイス４６２を介して、制御部４５０に送信される。
【００６８】
図２の画面において、供給されるべき水素の前記環境負荷として、「エコロジー」や「ノーマル」よりも高い環境負荷を指定する「エコノミー」の選択肢を選んで、水素の供給を受けるユーザに対しては、制御装置２５０は、ポイントを発行しない。
【００６９】
ユーザは、供給を受ける水素の環境負荷として、低い環境負荷を指定することにより、利益を享受することができる。このため、ユーザに、環境負荷が低い水素の利用を促すことができる。
【００７０】
図３は、水素ガス供給施設２００Ａの表示パネル２７０の表示を示す図である。図２の状態においてボタンＢ５０が押されると、制御装置２５０は、品質を表す品質情報Ｉｑに基づいて、図３に示す表示パネル２７０に選択肢を表示する。その場合には、「ノーマル」、「高品質」、「エコノミー」の選択肢をそれぞれ表すボタンＢ１５，Ｂ２５，Ｂ３５が表示される。
【００７１】
「ノーマル」の選択肢は、水素ガス供給施設２００Ａの水素ガス収容部２０４内に収容されている水素をそのまま水素自動車４００に供給する、という選択肢である。「高品質」の選択肢は、水素ガス収容部２０４内に収容されている水素のうち、水素生成施設５００Ａ、５００Ｂのうちで水素の品質が高い方の水素生成施設で生成された水素を選択的に水素自動車４００に供給する、という選択肢である。本実施形態において、「高品質」の選択肢が選択された場合にユーザに提供される水素は、水素生成施設５００Ｂで生成された水素である。「エコノミー」の選択肢は、水素ガス収容部２０４内に収容されている水素のうち、水素生成施設５００Ａ、５００Ｂのうちで水素の製造コストが低い方の水素生成施設で生成された水素を選択的に水素自動車４００に供給する、という選択肢である。本実施形態において、「エコノミー」の選択肢が選択された場合にユーザに提供される水素は、水素生成施設５００Ａで生成された水素である。
【００７２】
各選択肢を表すボタンＢ１５，Ｂ２５，Ｂ３５の横には、図２の場合と同様に、それぞれの選択肢において供給される水素の内訳を示す棒グラフＧ１５，Ｇ２５，Ｇ３５が表示される。
【００７３】
グラフＧ１５は、「ノーマル」の選択肢が選択された場合にユーザに提供される水素の環境負荷の内訳を示すグラフである。グラフＧ１５のうちの部分Ｇ１６は、オレンジ色の表示である。部分Ｇ１６は、水素ガス収容部２０４に収容された水素のうち、化石燃料を水と反応させて得られた水素の割合を表す。グラフＧ１５のうちの部分Ｇ１７は、青色の表示である。部分Ｇ１７は、水素ガス収容部２０４に収容された水素のうち、自然エネルギーを利用して得られた電力で水を電気分解して得られた水素の割合を示す。
【００７４】
グラフＧ２５は、「高品質」の選択肢が選択された場合にユーザに提供される水素の環境負荷の内訳を示すグラフである。グラフＧ２５は、青色で表示される。本実施形態において、「高品質」の選択肢が選択された場合にユーザに提供される水素は、水素生成施設５００Ｂで生成された水素である。
【００７５】
グラフＧ３５は、「エコノミー」の選択肢が選択された場合にユーザに提供される水素の環境負荷の内訳を示すグラフである。グラフＧ３５は、オレンジ色で表示される。本実施形態において、「エコノミー」の選択肢が選択された場合にユーザに提供される水素は、水素生成施設５００Ａで生成された水素である。
【００７６】
図３の表示において、画面を図２の状態に切り替えるためのボタンとして、「品質表示」ボタンＢ５０に代えて、「環境表示」ボタンＢ５５が表示される。
【００７７】
水素自動車４００の制御部４５０は、水素ガス供給施設２００Ａから水素ガス収容部４０４に水素を受け入れる際に、受け入れる水素に関する負荷情報Ｉｉと、品質情報Ｉｑと、変更ポイント情報ΔＩｐと、を制御装置２５０から受信する（図１参照）。具体的には、負荷情報Ｉｉと、品質情報Ｉｑと、変更ポイント情報ΔＩｐとは、水素ガス供給施設２００Ａの通信インターフェイス２６４および水素自動車４００の通信インターフェイス４６２を介して、制御部４５０に受信される。
【００７８】
制御部４５０は、水素ガス供給施設２００Ａや水素ガス供給施設２００Ｂから水素ガス収容部４０４に水素を受け入れるたびに、供給された水素の量Δｖ１と対応づけて、負荷情報Ｉｉと、品質情報Ｉｑと、をＲＡＭ４５２内に保存する。
【００７９】
制御部４５０は、水素ガス供給施設２００Ａや水素ガス供給施設２００Ｂから水素ガス収容部２０４に水素を受け入れるたびに、変更ポイント情報ΔＩｐのポイントを積算して、ＲＡＭ４５２内に保存する。制御部４５０は、過去３０日間に加算されたポイント数を、別途、積算して、ＲＡＭ４５２に保存する。
【００８０】
図４は、水素自動車４００の正面図である。水素自動車４００は、正面中央に、車両または車両の製造者を表す標章４８２を備える。この標章は、さまざまな色で発光することができる。水素自動車４００は、フロントバンパー内の標章４８２に対して左右下方の位置に、一対の発光部４８４を備える。発光部４８４も、さまざまな色で発光することができる。
【００８１】
制御部４５０は、過去３０日間に加算されたポイント数が閾値を超えていない場合には、標章４８２および発光部４８４をオレンジ色で発光させる。制御部４５０は、過去３０日間に加算されたポイント数が閾値を超えている場合には、標章４８２および発光部４８４を青色で発光させる。このような処理を行うことにより、環境負荷の低減のためのコストを負担する意思のあるユーザは、そのような意思のないユーザに対して、自らを差別化することができる。
【００８２】
ポイント管理サーバ１００の制御部１５０のＣＰＵ１５１は、ユーザの識別情報と対応づけて、ユーザに対して発行されたポイントを管理する。ＣＰＵ１５１は、識別情報で特定される個人、すなわちポイントを発行されたユーザと対応づけて、ユーザに対して発行されたポイントを表すポイント情報ＩｐをＲＡＭ１５２に格納している。ユーザに対して発行されたポイントは、変更ポイント情報ΔＩｐが表すポイントを積算することによって得られる。
【００８３】
水素ガス供給施設２００Ａ，２００Ｂの制御装置２５０により、ユーザに対してポイントが発行された場合、水素ガス供給施設２００Ａの制御装置２５０は、水素自動車４００に送信した変更ポイント情報ΔＩｐを、水素自動車４００のユーザを識別する識別情報とともに、ポイント管理サーバ１００に送信する（図１参照）。具体的には、変更ポイント情報ΔＩｐおよび識別情報は、水素ガス供給施設２００Ａの通信インターフェイス２６４およびポイント管理サーバ１００の通信インターフェイス１６２を介して、ポイント管理サーバ１００の制御部１５０に受信される。
【００８４】
ポイント管理サーバ１００のＣＰＵ１５１は、通信インターフェイス１６２を介して、水素ガス供給施設２００Ａ，２００Ｂから、ユーザに対して発行されたポイントを表す変更ポイント情報ΔＩｐを受信する。ＣＰＵ１５１は、発行されたポイントを表す変更ポイント情報ΔＩｐに基づいて、ユーザと対応づけられてＲＡＭ１５２に格納されているポイントの情報Ｉｐが表すポイントに、発行されたポイントを加算する。
【００８５】
このような処理を行うことにより、ユーザは、供給を受けた環境負荷が低い水素の量に応じて、利益を享受することができる。このため、ユーザに、環境負荷が低い水素の利用を、促すことができる。
【００８６】
ユーザからポイント管理サーバ１００に要求があった場合には、ＣＰＵ１５１は、ユーザと対応づけられてＲＡＭ１５２に格納されているポイント情報Ｉｐを、通信インターフェイス１６４を介して、出力する。なお、ユーザからの要求は、具体的には、水素自動車４００の制御部４５０および通信インターフェイス４６４、ならびにポイント管理サーバ１００の通信インターフェイス１６２を介して、行われる。ポイント管理サーバ１００から出力されたポイント情報Ｉｐは、ポイント管理サーバ１００の通信インターフェイス１６４および水素自動車４００の通信インターフェイス４６２を介して、制御部４５０に受信され、水素自動車４００の表示パネル４７０に表示される。
【００８７】
ポイント管理サーバ１００のＣＰＵ１５１は、各月ごとに、ユーザに対して発行されたポイントを計算する。そして、最後に経過した月に、ユーザに対して発行されたポイントの情報Ｉｐｐをユーザと対応づけてＲＡＭ１５２に格納している。ＣＰＵ１５１は、サービス管理装置３００などの外部からの要求に応じて、ユーザと対応づけられてＲＡＭ１５２に格納されている、前の月にユーザに対して発行されたポイントの情報Ｉｐｐを、通信インターフェイス１６４を介して出力する。
【００８８】
このような処理を行うことにより、あらかじめ定められた期間としての前月にユーザに対して発行されたポイントに応じて、ユーザにサービスや商品を提供することができる。
【００８９】
（３）ポイントの利用：
図５は、ある施設に隣接して設けられた有料駐車場Ｐ０を示す平面図である。有料駐車場Ｐ０は、施設への入口Ｅｎ１，Ｅｎ２と、サービス管理装置３００と、複数の駐車スペースＰ１１〜Ｐ１５，Ｐ２１〜Ｐ２５を備える。駐車スペースＰ１１〜Ｐ１５，Ｐ２１〜Ｐ２５には、それぞれロック板３１０が設けられている（図１参照）。
【００９０】
水素自動車４００が有料駐車場Ｐ０に侵入すると、以下のような処理が行われる。すなわち、制御部４５０は、あらかじめ運転開始時に取得されＲＡＭ４５２内に格納されている運転者の識別情報を、サービス管理装置３００に送信する。具体的には、運転者の識別情報は、水素自動車４００の通信インターフェイス４６２およびサービス管理装置３００の通信インターフェイス３６２を介して、サービス管理装置３００の制御部３５０に受信される。
【００９１】
サービス管理装置３００の制御部３５０のＣＰＵ３５１は、通信インターフェイス３６４を介して、運転者の識別情報をポイント管理サーバ１００に送信し、前の月にユーザに対して発行されたポイントの情報Ｉｐｐを要求する。サービス管理装置３００のＣＰＵ３５１は、通信インターフェイス３６２を介して、ポイント管理サーバ１００から、前の月にユーザに対して発行されたポイントの情報Ｉｐｐを受信する。
【００９２】
サービス管理装置３００のＣＰＵ３５１は、前の月に発行されたポイントが閾値よりも低いユーザに対して、施設への入口Ｅｎ１，Ｅｎ２に近い一部の駐車スペースＰ１１〜Ｐ１３、Ｐ２１〜Ｐ２３への駐車を許可しない。一方、前の月に発行されたポイントが閾値よりも高いユーザに対して、駐車スペースＰ１１〜Ｐ１３、Ｐ２１〜Ｐ２３への駐車を許可する。
【００９３】
具体的には、ＣＰＵ３５１は、前の月に発行されたポイント数が閾値を超えているユーザに対しては、駐車スペースＰ１１〜Ｐ１５，Ｐ２１〜Ｐ２５のうち、自動車が駐車されていないすべての駐車スペースのロック板３１０を非ロック状態にする。そのようなユーザが運転する水素自動車４００は、ロック板３１０が非ロック状態にある任意の駐車スペースに駐車することができる。
【００９４】
一方、サービス管理装置３００のＣＰＵ３５１は、前の月に発行されたポイント数が閾値を超えていない場合には、駐車スペースＰ１１〜Ｐ１３，Ｐ２１〜Ｐ２３と比べて施設への入口Ｅｎ１，Ｅｎ２から遠い側に位置する４箇所の駐車スペースＰ１４，Ｐ１５，Ｐ２４，Ｐ２５のうち、自動車が駐車されていない駐車スペースのロック板３１０を非ロック状態にする。そして、ＣＰＵ３５１は、駐車スペースＰ１１〜Ｐ１３，Ｐ２１〜Ｐ２３のロック板３１０をロック状態にする。水素自動車４００は、４箇所の駐車スペースＰ１４，Ｐ１５，Ｐ２４，Ｐ２５のうち、ロック板３１０が非ロック状態になった駐車スペースに駐車することができる。駐車スペースＰ１４，Ｐ１５，Ｐ２４，Ｐ２５を、図５において、クロスハッチを付して示す。
【００９５】
ユーザは、環境負荷が低い水素の供給を定常的に受けることにより、入口Ｅｎ１，Ｅｎ２に近い側の駐車スペースに駐車できるという利益を享受することができる。このため、ユーザに、環境負荷が低い水素の利用を、促すことができる。
【００９６】
駐車スペースに水素自動車４００が駐車されて一定の時間が経過すると、水素自動車４００が駐車された駐車スペースのロック板３１０がロック状態になる。
【００９７】
水素自動車４００が有料駐車場Ｐ０から出る場合には、以下のような処理が行われる。すなわち、サービス管理装置３００のＣＰＵ３５１は、ユーザへの駐車スペースの提供時間に応じて、ユーザの所有するポイントから減算すべきポイントを計算する。
【００９８】
サービス管理装置３００のＣＰＵ３５１は、サービス管理装置３００の通信インターフェイス３６４および水素自動車４００の通信インターフェイス４６２を介して、水素自動車４００の表示パネル４７０に、ユーザの所有するポイントから減算すべきポイントを表示させる。同様の情報がサービス管理装置３００の表示パネル３７０にも表示される。
【００９９】
水素自動車４００のユーザが、表示されたポイントの支払いに同意する旨の入力を、表示パネル４７０または表示パネル３７０を介して行うと、サービス管理装置３００のＣＰＵ３５１は、減算すべきポイントを表す変更ポイント情報ΔＩｐを、ユーザの識別情報と対応づけて、通信インターフェイス３６４を介して、ポイント管理サーバ１００に送信する。
【０１００】
ポイント管理サーバ１００のＣＰＵ１５１は、ユーザの識別情報と対応づけられた使用されたポイントを表す変更ポイント情報ΔＩｐを、通信インターフェイス１６２を介して、サービス管理装置３００から受信する。ＣＰＵ１５１は、識別情報に対応するユーザと対応づけられてＲＡＭ１５２に格納されているポイント情報Ｉｐが表すポイントから、使用されたポイントを減算する。
【０１０１】
一方、水素自動車４００のユーザが、表示されたポイントの支払いに同意する旨の入力を、表示パネル４７０を介して行うと、サービス管理装置３００のＣＰＵ３５１は、水素自動車４００が駐車している駐車スペースのロック板３１０を非ロック状態とする。その結果、水素自動車４００は、駐車スペースを出ることができる。
【０１０２】
このような態様とすれば、ユーザは、供給を受けた環境負荷が低い水素の量に応じて、サービスまたは商品を得ることができる。このため、ユーザに、環境負荷が低い水素の利用を、促すことができる。
【０１０３】
（４）水素ガス供給施設による負荷情報の交換：
水素ガス供給施設２００Ａの水素ガス収容部２０４内に貯蔵されている水素のうち、水素生成施設５００Ａで生成された水素の割合と、水素生成施設５００Ｂで生成された水素の割合は、原始的には、水素生成施設５００Ａで生成された水素が水素ガス収容部２０４に供給された量と、水素生成施設５００Ｂで生成された水素が水素ガス収容部２０４に供給された量と、に応じて決まる。しかし、水素ガス収容部２０４内に貯蔵されている水素のうち、水素生成施設５００Ａで生成された水素の割合と、水素生成施設５００Ｂで生成された水素の割合は、水素ガス供給施設同士の負荷情報の交換によって、変動しうる。
【０１０４】
水素ガス供給施設２００Ｂから、自然エネルギーを利用して水素を生成する最も近い水素生成施設までの距離は、水素ガス供給施設２００Ａから、自然エネルギーを利用して水素を生成する水素生成施設５００Ｂまでの距離の３倍以上である。そのような水素ガス供給施設２００Ｂに対して、自然エネルギーを利用して水素を生成する水素生成施設から水素を運搬することは、非効率である。このため、水素ガス供給施設２００Ｂは、より近い距離にある、自然エネルギーを利用して水素を生成する水素生成施設以外の水素生成施設から、水素の供給を受ける。
【０１０５】
水素ガス供給施設２００Ｂにおいては、原始的には、水素の供給において、「エコロジー」の選択肢を提供することができない（図２参照）。しかし、本実施形態においては、以下の処理により、水素ガス供給施設２００Ｂにおいても、水素の供給において、「エコロジー」の選択肢を提供することができる。
【０１０６】
水素ガス供給施設２００Ａの制御装置２５０は、水素の量の情報Ｉｖと対応づけられて水素ガス供給施設２００ＡのＲＡＭ２５２に格納されている負荷情報Ｉｉの少なくとも一部を含む情報ΔＩｉを、水素の所定量の情報ΔＩｖ２と対応づけて、水素ガス供給施設２００Ａの通信インターフェイス２６６を介して、水素ガス供給施設２００Ｂに送信する（図１参照）。水素ガス供給施設２００Ｂの制御装置２５０は、水素ガス供給施設２００Ａから送信された水素ガス供給施設２００Ａの負荷情報Ｉｉの少なくとも一部を含む情報ΔＩｉを、水素ガス収容部２０４内に収容されている水素の一部の量の情報ΔＩｖ２と対応づけて、水素ガス供給施設２００Ｂの通信インターフェイス２６６を介して、水素ガス供給施設２００Ａから受信する。
【０１０７】
一方、水素ガス供給施設２００Ｂの制御装置２５０は、水素の量の情報Ｉｖと対応づけられて水素ガス供給施設２００ＢのＲＡＭ２５２に格納されている負荷情報Ｉｉの少なくとも一部を含む情報ΔＩｉを、水素ガス供給施設２００Ａが送信した水素の所定量の情報ΔＩｖ２と同量の水素の料を表す情報ΔＩｖ２と対応づけて、水素ガス供給施設２００Ａに送信する（図１参照）。水素ガス供給施設２００Ａの制御装置２５０は、水素ガス供給施設２００Ｂから送信された水素ガス供給施設２００Ｂの負荷情報Ｉｉの少なくとも一部を含む情報ΔＩｉを、水素ガス供給施設２００Ｂの水素ガス収容部２０４内に収容されている水素の一部の量の情報ΔＩｖ２と対応づけて、水素ガス供給施設２００Ｂから受信する。
【０１０８】
水素ガス供給施設２００Ａの制御装置２５０は、水素の量の情報Ｉｖと対応づけられて水素ガス供給施設２００ＡのＲＡＭ２５２に格納されている負荷情報Ｉｉを、水素ガス供給施設２００Ｂに送信された負荷情報の少なくとも一部を含む情報ΔＩｉおよび水素の量の情報ΔＩｖ２に基づいて、更新する。
【０１０９】
さらに、水素ガス供給施設２００Ａの制御装置２５０は、水素の量の情報Ｉｖと対応づけられて水素ガス供給施設２００ＡのＲＡＭ２５２に格納されている負荷情報Ｉｉを、水素ガス供給施設２００Ｂから受信した負荷情報の少なくとも一部を含む情報ΔＩｉおよび水素の量の情報ΔＩｖ２に基づいて、更新する。これらの更新の前後で、水素ガス供給施設２００Ａの水素ガス収容部２０４内に収容されている水素の量は、変化しない。
【０１１０】
一方、水素ガス供給施設２００Ｂの制御装置２５０は、水素の量の情報Ｉｖと対応づけられて水素ガス供給施設２００ＢのＲＡＭ２５２に格納されている負荷情報Ｉｉを、水素ガス供給施設２００Ａに送信された負荷情報の少なくとも一部を含む情報ΔＩｉおよび水素の量の情報ΔＩｖ２に基づいて、更新する。
【０１１１】
さらに、水素ガス供給施設２００Ｂの制御装置２５０は、水素の量の情報Ｉｖと対応づけられて水素ガス供給施設２００ＢのＲＡＭ２５２に格納されている負荷情報Ｉｉを、水素ガス供給施設２００Ａから受信した負荷情報の少なくとも一部を含む情報ΔＩｉおよび水素の量の情報ΔＩｖ２に基づいて、更新する。これらの更新の前後で、水素ガス供給施設２００Ｂの水素ガス収容部２０４内に収容されている水素の量は、変化しない。
【０１１２】
すなわち、水素ガス供給施設２００Ａから、自然エネルギーを利用して生成された水素が水素ガス供給施設２００Ｂから供給され、代わりに、同じ量の水素が、水素ガス供給施設２００Ｂから水素ガス供給施設２００Ａが供給されたものと仮定して、水素ガス供給施設２００Ａ，２００Ｂにおいて、水素ガス収容部２０４内に収容している水素のうち、負荷情報ＩｉＡに対応づけられた水素の量の割合と、負荷情報ＩｉＢに対応づけられた水素の量の割合とが、それぞれ再計算される。そして、その割合が、水素ガス供給施設２００Ａ，２００Ｂにおいて、制御装置２５０のＲＡＭ２５２に保存される。その際、実際の水素ガスの交換は行われない。
【０１１３】
その後、水素ガス供給施設２００Ａ，２００Ｂにおいて、それぞれ水素自動車４００に水素ガスの供給を行う際には、再計算された割合にしたがって、図２の表示が行われる。水素ガス供給施設２００Ａの表示パネル２７０の表示において、図２のグラフＧ１０の表示と、図３のグラフＧ１５の表示とは、一致している。しかし、上記の情報交換の後は、図２のグラフＧ１０の表示が変更されるため、水素ガス供給施設２００Ａの表示パネル２７０の表示において、図２のグラフＧ１０の表示と、図３のグラフＧ１５の表示とは、一致しないこととなる。
【０１１４】
このような処理を行うことにより、実際に水素ガス供給施設２００Ｂの水素ガス収容部２０４が受け入れた水素の負荷情報Ｉｉと切り離して、水素の負荷情報Ｉｉを、複数の水素ガス供給施設２００Ａ，２００Ｂの間で、移動させることができる。このため、実際に水素を移動させることなく、水素ガス供給施設２００Ａ，２００Ｂ全体として、環境負荷の低い水素の供給を促進することができる。
【０１１５】
本実施形態における、水素ガス供給施設２００Ａ，２００Ｂを「水素ガス供給システム」とも呼ぶ。水素ガス収容部２０４を「収容部」とも呼ぶ。通信インターフェイス２６２，２６４，２６６を「通信部」とも呼ぶ。表示パネル２７０を「ユーザインターフェイス部」とも呼ぶ。制御装置２５０を「制御部」とも呼ぶ。ＲＡＭ２５２を「記憶部」とも呼ぶ。化石燃料を水と反応させて水素を生成する水素生成施設５００Ａで生成された水素の製造時の環境負荷を「第１の環境負荷」とも呼ぶ。自然エネルギーを利用して得られた電力で水を電気分解して水素を生成する水素生成施設５００Ｂで生成された水素の製造時の環境負荷を「第２の環境負荷」とも呼ぶ。
【０１１６】
本実施形態における、ポイント管理サーバ１００を「ポイント管理システム」とも呼ぶ。ＲＡＭ１５２を「ポイント記憶部」とも呼ぶ。通信インターフェイス１６２，１６４を「ポイント通信部」とも呼ぶ。ＣＰＵ１５１を「ポイント管理部」とも呼ぶ。
【０１１７】
本実施形態における、サービス管理装置３００を「ポイント管理システム」とも呼ぶ。ＣＰＵ３５１を「サービス管理部」とも呼ぶ。通信インターフェイス３６２，３６４を「サービス通信部」とも呼ぶ。
【０１１８】
Ｂ．他の実施形態：
Ｂ１．他の実施形態１：
（１）上記実施形態においては、水素ガス供給施設２００Ａは、気体の水素を収容する水素ガス収容部２０４を備える。しかし、水素ガス供給システムとしての水素ガス供給施設２００Ａは、気体の水素を収容する収容部に代えて、または気体の水素を収容する収容部とともに、液体の水素を収容する収容部を備えてもよい。そのような態様においては、水素ガス供給システムは、水素を気化する装置を備え、水素を気化した後に外部に供給できることが好ましい。
【０１１９】
（２）上記実施形態においては、ポイント管理サーバ１００、水素ガス供給施設２００Ａ，２００Ｂ、サービス管理装置３００の通信インターフェイスは、図１のブロック図において機能別に表示している。しかし、ポイント管理サーバ１００、水素ガス供給施設２００Ａ，２００Ｂ、サービス管理装置３００の通信インターフェイスは、２以上の機能を兼ねる１以上のハードウェアで実現されてもよい。
【０１２０】
（３）上記実施形態においては、表示パネル２７０が、水素ガス収容部２０４からユーザに供給される水素の負荷情報Ｉｉと品質情報Ｉｑとを出力する（図１および図２参照）。しかし、水素ガス収容部２０４からユーザに供給される水素の負荷情報Ｉｉと品質情報Ｉｑとは、通信インターフェイス２６４，４６２を経て、水素自動車４００の表示パネル４７０に表示されてもよい。すなわち、水素自動車４００の表示パネル４７０を、ユーザインターフェイス部として機能させてもよい。
【０１２１】
（４）上記実施形態においては、水素ガス供給施設２００Ａの制御装置２５０は、表示パネル２７０に表示されるボタンＢ１０、Ｂ２０，Ｂ３０を介して、ユーザから、ユーザに供給されるべき水素の環境負荷の指定を受ける（図２参照）。しかし、水素ガス収容部２０４からユーザに供給される水素の環境負荷や品質の指定は、水素自動車４００の表示パネル４７０から、通信インターフェイス４６４，２６２を経て、行われてもよい。すなわち、水素自動車４００の表示パネル４７０を、ユーザインターフェイス部として機能させてもよい。
【０１２２】
（５）上記実施形態においては、ユーザの識別情報は、表示パネル２７０のタッチパネルを介して、水素ガス供給施設２００Ａの制御装置２５０に入力される。しかし、ユーザインターフェイス部としての表示パネル２７０が、磁気カードリーダ、ＩＣカードリーダ、２次元バーコードリーダなどを備え、それらを介して、ユーザの識別情報が、水素ガス供給施設２００Ａの制御装置２５０に入力される態様とすることもできる。
【０１２３】
（６）上記実施形態においては、水素自動車４００の制御部４５０は、水素自動車４００に設けられている。しかし、制御部４５０が行う上述の処理を実行し、水素ガス供給施設２００Ａ，２００Ｂ、サービス管理装置３００、およびポイント管理サーバ１００との間で情報の送受信を行う装置は、ユーザが携帯するスマートフォンなどの携帯機器であってもよい。
【０１２４】
（７）上記実施形態においては、水素ガス供給施設２００Ａは、自然エネルギーを利用して得られた電力で水を電気分解して生成された水素を、ユーザに対して提供することができる（図１および図２参照）。しかし、水素ガス供給施設２００Ａは、自然エネルギーを利用して得られた水素を入手できない場合もある。さらに、水素ガス供給施設２００Ａは、負荷情報Ｉｉの少なくとも一部を含む情報ΔＩｉを交換することによっても、自然エネルギーを利用して得られた仮想的な水素を入手できない場合もある。そのような場合には、水素ガス供給施設２００Ａの表示パネル２７０において、グラフＧ１０は、部分Ｇ１２を含まず、部分Ｇ１１のみで表示される。そして、ボタンＢ２０およびグラフＧ２０は、そのような水素が提供できる場合に比べて、薄い色で表示される。
【０１２５】
そのような場合には、ユーザは、表示パネル２７０の表示を見て、その水素ガス供給施設２００Ａでは水素の供給を受けず、他の水素ガス供給施設で水素の供給を受ける、という選択をすることができる。
【０１２６】
（８）上記実施形態においては、水素自動車４００の制御部４５０は、過去３０日間に加算されたポイント数が閾値を超えている場合には、標章４８２および発光部４８４を青色で発光させる（図４参照）。しかし、閾値と比較するポイントの蓄積日数は、１０日や２０日など、他の日数とすることもできる。また、水素自動車４００の制御部４５０は、直前に供給された水素の環境負荷の指定に応じて、水素自動車４００の外部の表示を変えることもできる。
【０１２７】
（９）上記実施形態においては、水素自動車４００の制御部４５０は、過去３０日間に加算されたポイント数に応じて、標章４８２および発光部４８４の発光の色を変える（図４参照）。しかし、獲得したポイント数に応じて変更する対象は、発光する部位に限られず、たとえば、水素自動車４００のボディの少なくとも一部の色であってもよいし、水素自動車４００の一部の形状であってもよい。
【０１２８】
（１０）上記実施形態においては、水素の供給を受ける水素自動車４００の個別のユーザに対して情報を提供する表示パネル２７０が、制御装置２５０に制御されて、水素ガス収容部２０４からユーザに供給される水素の負荷情報Ｉｉと品質情報Ｉｑとを出力する。しかし、水素ガス収容部２０４に収容された水素の環境負荷の内訳の情報（図２のＧ１０参照）は、たとえば、不特定多数のユーザに向けた水素ガス供給施設２００Ａの看板において、リアルタイムで表示されてもよい。そのような対応とすれば、ユーザは、看板に表示された環境負荷情報を見て、その水素ガス供給施設２００Ａを利用するか否かを決定することができる。
【０１２９】
Ｂ２．他の実施形態２：
（１）上記実施形態においては、水素の生成方法として、水素生成施設５００Ａにおける化石燃料を使用した方法と、水素生成施設５００Ｂにおける自然エネルギーを使用した方法と、を挙げている。しかし、水素ガス供給システムが受け取る水素の生成方法は、それら以外に、バイオマスから得られる炭化水素と水蒸気を反応させて水素を得る方法や、製鉄所や化学工場の副産物としての水素を得る方法など、他の方法を含んでもよい。
【０１３０】
たとえば、水素生成施設は、自然エネルギーである風力や波力や地熱で生成された電力で水を電気分解して、水素を生成する施設とすることができる。また、水素生成施設は、水素製造装置としてのコークス炉を備える製鉄所とすることができる。水素ガス生成施設は、石油を改質して水素を取りだす施設であってもよい。また、水素ガス生成施設は、副産物として水素を生成する化学工場であってもよい。
【０１３１】
水素ガス供給システムが受け取る水素の生成方法は、上記の４種類の方法の１以上を含まない態様とする事もできる。さらに、水素ガス供給システムは、複数の別個の方法で生成され、あらかじめ混合された水素の供給を受けることもできる。本明細書において、「水素の生成方法」には、そのような生成後の混合をも含むものとする。
【０１３２】
このため、一つの水素生成施設で生成された水素の負荷情報Ｉｉおよび品質情報Ｉｑは、変動しうる。水素ガス供給システムは、外部から水素の供給を受けるたびに、そのときに水素ガス配送車両から受信した負荷情報および品質情報と、水素ガス配送車両から受け取った水素の量と、を対応づけて管理する。
【０１３３】
（２）上記実施形態においては、品質情報Ｉｑは、その水素が、（ｉ）ISO14687 1999年 Type I, Grade Aを満たしているか否か、（ｉｉ）ISO14687-2 2008年Type I, Grade Dを満たしているか否か、（ｉｉｉ）ISO14687-2 2012年Type I, Grade Dを満たしているか否か、の情報を含む。しかし、品質情報は、それぞれの水素生成施設が提供する水素の定量的な品質の情報を含む態様とすることもできる。
【０１３４】
Ｂ３．他の実施形態３：
上記実施形態においては、水素ガス供給施設２００Ａは、水素ガス収容部２０４からユーザへの水素の供給に先立って、表示パネル２７０に表示されるボタンＢ１０、Ｂ２０，Ｂ３０を介して、ユーザから、ユーザに供給されるべき水素の環境負荷の指定を受ける。しかし、ユーザに供給されるべき水素の前記環境負荷の指定を受けるのは、ユーザが実際に水素の供給を受けた後であってもよい。
【０１３５】
上記実施形態においては、環境負荷の指定は、実際の水素の製造方法とは切り離して扱われることができる。このため、実際には、収容部内に収容されている水素のうち、指定された環境負荷の製造方法で製造された水素が十分にない場合であっても、水素ガス供給システム間で負荷情報と水素の量とを交換することにより、ユーザからの要求に応えることができる。
【０１３６】
Ｂ４．他の実施形態４：
（１）上記実施形態においては、水素ガス供給施設２００Ａの制御装置２５０は、水素の量の情報Ｉｖと対応づけられてＲＡＭ２５２に格納されている負荷情報Ｉｉの少なくとも一部を含む情報ΔＩｉを、水素ガス収容部２０４内に収容されている水素の一部の量の情報ΔＩｖ２と対応づけて、水素ガス供給施設２００Ａの通信インターフェイス２６６を介して、水素ガス供給施設２００Ｂに送信する（図１参照）。しかし、水素ガス供給システムは、収容部内に収容されている水素の量を超える水素の量の情報とともに、水素の製造時の環境負荷を表す情報ΔＩｉを送信してもよい。
【０１３７】
上記実施形態においては、環境負荷の指定は、実際の水素の製造方法とは切り離して扱われることができる。このため、実際には、収容部内に収容されていない量の水素について、水素ガス供給システム間で負荷情報とともに交換することができる。
【０１３８】
（２）上記実施形態においては、水素ガス供給施設２００Ａの制御装置２５０は、水素の量の情報と対応づけられて水素ガス供給施設２００ＡのＲＡＭ２５２に格納されている負荷情報Ｉｉを、水素ガス供給施設２００Ｂに送信された負荷情報の少なくとも一部を含む情報ΔＩｉおよび水素の量の情報ΔＩｖ２に基づいて、更新する。しかし、水素ガス供給システムは、そのようなＲＡＭ２５２に格納されている負荷情報Ｉｉの更新を行わず、他の水素ガス供給システムとの間での負荷情報の交換に起因する収支については、自らの収容部内の水素の情報とは別に、保存し、更新する態様とすることもできる。
【０１３９】
（３）上記実施形態においては、水素ガス供給施設２００Ａの制御装置２５０は、水素の量の情報Ｉｖと対応づけられてＲＡＭ２５２に格納されている負荷情報Ｉｉの少なくとも一部を含む情報ΔＩｉを、水素ガス収容部２０４内に収容されている水素の一部の量の情報ΔＩｖ２と対応づけて、水素ガス供給施設２００Ａの通信インターフェイス２６６を介して、水素ガス供給施設２００Ｂに送信する（図１参照）。しかし、水素ガス供給システムは、そのような負荷情報の送信を行わない態様とすることもできる。
【０１４０】
Ｂ５．他の実施形態５：
（１）上記実施形態においては、水素ガス供給施設２００Ｂの制御装置２５０は、水素ガス供給施設２００ＢのＲＡＭ２５２に格納している水素ガス供給施設２００Ｂの負荷情報Ｉｉを、水素ガス供給施設２００Ａから受信した負荷情報の少なくとも一部を含む情報ΔＩｉおよび水素の量の情報ΔＩｖ２に基づいて、更新する。しかし、水素ガス供給システムは、そのようなＲＡＭ２５２に格納されている負荷情報Ｉｉの更新を行わず、他の水素ガス供給システムとの間での負荷情報の交換に起因する収支については、自らの収容部内の水素の情報とは別に、保存し、更新する態様とすることもできる。
【０１４１】
（２）上記実施形態においては、水素ガス供給施設２００Ｂの制御装置２５０は、水素ガス供給施設２００Ａから送信された水素ガス供給施設２００Ａの負荷情報Ｉｉの少なくとも一部を含む情報ΔＩｉを、水素ガス収容部２０４内に収容されている水素の一部の量の情報ΔＩｖ２と対応づけて、水素ガス供給施設２００Ｂの通信インターフェイス２６６を介して、水素ガス供給施設２００Ａから受信する。しかし、水素ガス供給システムは、そのような負荷情報の受信を行わない態様とすることもできる。
【０１４２】
Ｂ６．他の実施形態６：
上記実施形態においては、「エコロジー」の選択肢を選んだユーザに対して発行されるポイントは、水素１ｋｇあたり１ポイントである。「ノーマル」の選択肢を選んだユーザに対して発行されるポイントは、水素１ｋｇあたり０．５ポイントである。「エコノミー」の選択肢を選んで、水素の供給を受けるユーザに対しては、制御装置２５０は、ポイントを発行しない。しかし、ユーザへのポイント付与の方法は、他の方法であってもよい。
【０１４３】
たとえば、最も環境負荷の高い方法で生成された水素を指定するユーザに対しても、ポイントを付与してもよい。また、扶養するポイントは、水素の量に応じて定められるのではなく、１回の水素の供給ごとにあらかじめ定められたポイントが付与される態様とすることもできる。また、付与されるポイントの具体的な値は、５ポイント、１０ポイントなど、任意に定めることができる。
【０１４４】
Ｂ７．他の実施形態７：
上記実施形態においては、ポイント管理サーバ１００が、水素ガス供給施設２００Ａ，２００Ｂによって発行されるポイントを管理する。しかし、そのようなポイントを一括で管理する装置を設けず、クラウド上において情報を共有して、それぞれの水素ガス供給システムが、その情報を更新する態様とすることもできる。
【０１４５】
Ｂ８．他の実施形態８：
（１）上記実施形態においては、ユーザによるサービスの利用に応じて、ポイント管理サーバ１００のＣＰＵ１５１は、識別情報に対応するユーザと対応づけられてＲＡＭ１５２に格納されているポイント情報Ｉｐが表すポイントから、使用されたポイントを減算する。しかし、ポイント管理システムのポイント管理部は、サービス管理システムにユーザのポイント情報Ｉｐを渡し、サービス管理システムから減算後のユーザのポイントを受け取って、ユーザのポイントを管理する態様とすることもできる。
【０１４６】
（２）また、サービスの利用や商品の受領の対価は、ポイントによって支払われるのではなく、他の料金支払いシステムや、クレジットカード、現金などにより、料金が支払われてもよい。
【０１４７】
Ｂ９．他の実施形態９：
（１）上記実施形態においては、ポイント管理サーバ１００のＣＰＵ１５１は、最後に経過した月に、ユーザに対して発行されたポイントの情報Ｉｐｐをユーザと対応づけてＲＡＭ１５２に格納している。しかし、ユーザに対して発行されたポイントを計算してポイント記憶部に格納する対象期間は、最後に経過した月以前の３ヶ月間や、最後に経過した月以前の６ヶ月間、さらには、前日以前の３０日、前日以前の６０日など、他の期間とすることもできる。
【０１４８】
（２）上記実施形態においては、ポイント管理サーバ１００のＣＰＵ１５１は、ユーザの識別情報と対応づけて、ポイント情報Ｉｐが表すポイントを管理する（図１参照）。しかし、ポイント管理部は、ポイントの情報を、水素の供給を受ける車両と対応づけて、ポイント記憶部に格納し、上記実施形態と同様に、管理する態様とすることもできる。なお、水素ガス供給施設２００やサービス管理装置３００における車両の識別情報の取得は、たとえば、車両のナンバープレートを光学的に読み取ることによって、行われてもよいし、車両の制御部が車両の識別情報を外部に送信することによって、行われてもよい。
【０１４９】
そのような態様とすれば、上記実施形態における有料駐車場の利用態様を車両ごとに制御するほか、たとえば、車両に対してかけられる保険の料率を決定する際や、車両を買い取る際に、車両と対応づけられているポイントの量を考慮して、保険の料率や買い取り価格を決定することができる。なお、ユーザと対応づけられているポイントについても、保険の料率を決定する際や、車両を買い取る際の参考にすることができる。
【０１５０】
（３）また、ポイント管理システムは、あらかじめ定められた期間にユーザに対して発行されたポイントを計算しない態様とすることもできる。たとえば、あらかじめ定められた期間にユーザに対して発行されたポイントは、水素自動車４００の制御部４５０が計算し、ＲＡＭ４５２内に保存して、水素管理システムの各部は、それを利用する態様とすることもできる。
【０１５１】
Ｂ１０．他の実施形態１０：
上記実施形態においては、水素自動車４００が有料駐車場Ｐ０から出る場合には、サービス管理装置３００のＣＰＵ３５１は、ユーザへの駐車スペースの提供に応じて、ユーザの所有するポイントから減算すべきポイントを計算する（図１および図５参照）。そして、ＣＰＵ３５１は、減算すべきポイントを表す使用されたポイントの変更ポイント情報ΔＩｐを、ユーザの識別情報と対応づけて、通信インターフェイス３６４を介して、ポイント管理サーバ１００に送信する。しかし、サービス管理システムはそのような処理を行わない態様とすることもできる。たとえば、そのような処理を、水素自動車４００の制御部４５０が行ってもよい。
【０１５２】
Ｂ１１．他の実施形態１１：
サービス管理装置３００のＣＰＵ３５１は、前の月に発行されたポイントが閾値よりも低いユーザに対して、一部の駐車スペースＰ１１〜Ｐ１３、Ｐ２１〜Ｐ２３への駐車を許可しない（図１および図５参照）。一方、前の月に発行されたポイントが閾値よりも高いユーザに対して、駐車スペースＰ１１〜Ｐ１３、Ｐ２１〜Ｐ２３への駐車を許可する。
【０１５３】
しかし、サービス管理システムは、そのような区別を行わず、所定期間にユーザに対して発行されたポイントの量によらず、一律にサービスを提供する態様とすることもできる。また、所定期間にユーザに対して発行されたポイントの量に応じて、減算すべきポイントを変えて、サービスを提供する態様とすることもできる。所定期間に発行されたポイントの量が閾値よりも多いユーザに対しては、所定期間に発行されたポイントの量が閾値よりも少ないユーザに対するよりも少ないポイントを、減算する態様とすることもできる。
【０１５４】
また、ユーザに対して提供されるサービスは、駐車スペースの提供以外に、商品の追加的な提供など、さまざまな態様とすることができる。たとえば、カーシェアリングにおいて、所定期間にユーザに対して発行されたポイントの量が高い人ほど、優先的に自動車を割り当てられる態様とすることもできる。
【０１５５】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【０１５６】
１…水素管理システム、１００…ポイント管理サーバ、１５０…制御部、１５１…ＣＰＵ、１５２…ＲＡＭ、１５３…ＲＯＭ、１６２，１６４…通信インターフェイス、２００Ａ，２００Ｂ…水素ガス供給施設、２０４…水素ガス収容部、２０９…水素ガス供給装置、２５０…制御装置、２５１…ＣＰＵ、２５２…ＲＡＭ、２５３…ＲＯＭ、２６２，２６４，２６６…通信インターフェイス、２７０…表示パネル、３００…サービス管理装置、３１０…ロック板、３５０…制御部、３５１…ＣＰＵ、３５２…ＲＡＭ、３５３…ＲＯＭ、３６２，３６４…通信インターフェイス、３７０…表示パネル、４００…水素自動車、４０４…水素ガス収容部、４０６…燃料電池装置、４５０…制御部、４５１…ＣＰＵ、４５２…ＲＡＭ、４５３…ＲＯＭ、４６２，４６４…通信インターフェイス、４７０…表示パネル、４８２…標章、４８４…発光部、５００Ａ，５００Ｂ…水素生成施設、５０４Ａ，５０４Ｂ…液体水素収容部、６００Ａ，６００Ｂ…水素ガス配送車両、６５０…制御部、６５１…ＣＰＵ、６５２…ＲＡＭ、６５３…ＲＯＭ、Ｂ１０，Ｂ２０，Ｂ３０…選択ボタン、Ｂ１５，Ｂ２５，Ｂ３５…選択ボタン、Ｂ５０…表記切替ボタン、Ｂ５５…表記切替ボタン、Ｅｎ１，Ｅｎ２…入口、Ｇ１０，Ｇ１５…「ノーマル」の選択肢が選択された場合にユーザに提供される水素の環境負荷の内訳を示すグラフ、Ｇ１１，Ｇ１６…化石燃料を水と反応させて得られた水素の割合を表す部分、Ｇ１２，Ｇ１７…自然エネルギーを利用して得られた電力で水を電気分解して得られた水素の割合を示す部分、Ｇ２０…「エコロジー」の選択肢が選択された場合にユーザに提供される水素の環境負荷の内訳を示すグラフ、Ｇ２５…「高品質」の選択肢が選択された場合にユーザに提供される水素の環境負荷の内訳を示すグラフ。Ｇ３０，Ｇ３５…「エコノミー」の選択肢が選択された場合にユーザに提供される水素の環境負荷の内訳を示すグラフ、Ｉｉ…負荷情報、ＩｉＡ…水素生成施設５００Ａの水素の負荷情報、ＩｉＢ…水素生成施設５００Ｂの水素の負荷情報、Ｉｐ…ポイント情報、Ｉｐｐ…最後に経過した月にユーザに対して発行されたポイントの情報、Ｉｑ…品質情報、ＩｑＡ…水素生成施設５００Ａの水素の品質情報、ＩｑＢ…水素生成施設５００Ｂの水素の品質情報、Ｉｖ…水素の量の情報、ＩｖＡ…水素生成施設５００Ａからの水素の量の情報、ＩｖＢ…水素生成施設５００Ｂからの水素の量の情報、Ｐ０…有料駐車場、Ｐ１１〜Ｐ１５，Ｐ２１〜Ｐ２５…駐車スペース、ΔＩｉ…他の水素ガス供給施設に受け渡される負荷情報、ΔＩｐ…変更ポイント情報、ΔＩｖ２…他の水素ガス供給施設に受け渡される水素の量の情報、Δｖ１…水素自動車４００に供給される水素の量
【図１】
2020086503.tif 000003
【図２】
2020086503.tif 000004
【図３】
2020086503.tif 000005
【図４】
2020086503.tif 000006
【図５】
2020086503.tif 000007